(57)【要約】【課題】ユーザが必要なデータを迅速かつ容易に参照できる電子機器を提供する。【解決手段】大きさの異なる２つのモニタ部を折りたたみ可能に連結し、折りたたんだ状態で２つのモニタが完全に重ならず一方のモニタの端部が露出するようにする。この露出部分にタッチパネルモニタを設け、電子機器に記録されたデータをインデックス表示する。ユーザが電子機器を折りたたんだ状態でタッチパネルを押さえてインデックスを指定し、電子機器を開くと、指定されたインデックスに対応して抽出されたデータがモニタに表示される。【選択図】  図１
2005149364.tif 000002
【特許請求の範囲】
【請求項１】
折りたたみ可能な電子機器であって、
データが記録された記録部と、
第一の機器部と、
電子機器が折りたたまれた状態において前記第一の機器部を完全には覆わない第二の機器部と、
前記第一の機器部と前記第二の機器部とのうち少なくとも一方に設けられ、前記記録されたデータを表示する表示部と、
前記第一の機器部及び前記第二の機器部を、前記表示部を内側にして折りたためるように連結する折りたたみ部と、
を有する電子機器において、
前記第一の機器部または前記第二の機器部の端部に設けられ、電子機器が折りたたまれた状態において前記第一の機器部または前記第二の機器部から露出するインデックス部であって、前記記録されたデータをインデックス表示するインデックス部と、
前記表示されたインデックスのうち、電子機器が折りたたまれているときにユーザが指定したインデックスを検知する手段と、
前記検知したインデックスに対応するデータを前記記録されたデータから抽出する手段と、
電子機器が開かれたときに、前記抽出したデータを前記表示部に表示させる手段と、
を備えたことを特徴とする電子機器。
【請求項２】
データが記録された記録部と、
前記記録されたデータを表示する第一の表示部と、
前記記録されたデータを表示する、前記第一の表示部よりも大きい第二の表示部と、
前記第一の表示部及び前記第二の表示部を、その表示領域を内側にして折りたためるように連結する折りたたみ部と、
を有する電子機器において、
前記第二の表示部の端部に設けられ、電子機器が折りたたまれた状態において前記第一の表示部から露出するインデックス部であって、前記記録されたデータをインデックス表示するインデックス部と、
前記表示されたインデックスのうち、電子機器が折りたたまれているときにユーザが指定したインデックスを検知する手段と、
前記検知したインデックスに対応するデータを前記記録されたデータから抽出する手段と、
電子機器が開かれたときに、前記抽出したデータを前記第一の表示部及び前記第二の表示部に表示させる手段と、
を備えたことを特徴とする電子機器。
【請求項３】
前記インデックス部は接触感知機能を有し、ユーザは表示されたインデックスに触れることによりインデックスを指定可能であることを特徴とする請求項２に記載の電子機器。
【発明の詳細な説明】
【技術分野】
【０００１】
本発明はテキストや画像等をモニタに表示する電子機器の技術分野に属し、特にインデックス機能を有する電子機器の技術分野に属する。
【背景技術】
【０００２】
テキストや画像等をモニタに表示する電子機器として、電子ペーパ型や電子書籍型のもの、電子的アドレス指定式のものなどが知られている（例えば、特許文献１乃至特許文献５参照）。
【０００３】
近年このような電子機器に用いられる記録媒体の大容量化が進んでいるが、特に携帯式の電子機器では、表示領域の制約により一連のデータを一度に表示できないことも多い。
このため、このような電子機器では、一度に表示するのはデータの一部とし、逐次画面表示を切り替えて一連のデータを表示するようになっている。
【０００４】
この際、画面を切り替えるために、ユーザにモニタ上のスクロールバーやカーソルキーを操作させたり、電子機器自体を回転させたりすることが行われている。
【特許文献１】特開２００３−１４０５７４号公報
【特許文献２】特開２００３−０７６３５４号公報
【特許文献３】特開２００２−１０８２５４号公報
【特許文献４】特表２００１−５２５０９６号公報
【特許文献５】特表平１１―５０２９５０号公報
【発明の開示】
【発明が解決しようとする課題】
【０００５】
しかしながら、上述のような従来の電子機器では、ユーザは通常行わないような特別な操作を行ったり、同じような操作を何度も繰り返し行ったりする必要があり、必要なデータを参照するのに時間と手間を要していた。
【０００６】
本発明は上記事情を鑑みてなされたもので、ユーザが必要なデータを迅速かつ容易に参照できる電子機器を提供することを目的とする。
【課題を解決するための手段】
【０００７】
上記目的を達成するために、請求項１に係る電子機器は、折りたたみ可能な電子機器であって、データが記録された記録部と、第一の機器部と、電子機器が折りたたまれた状態において前記第一の機器部を完全には覆わない第二の機器部と、前記第一の機器部と前記第二の機器部とのうち少なくとも一方に設けられ、前記記録されたデータを表示する表示部と、前記第一の機器部及び前記第二の機器部を、前記表示部を内側にして折りたためるように連結する折りたたみ部と、を有する電子機器において、前記第一の機器部または前記第二の機器部の端部に設けられ、電子機器が折りたたまれた状態において前記第一の機器部または前記第二の機器部から露出するインデックス部であって、前記記録されたデータをインデックス表示するインデックス部と、前記表示されたインデックスのうち、電子機器が折りたたまれているときにユーザが指定したインデックスを検知する手段と、前記検知したインデックスに対応するデータを前記記録されたデータから抽出する手段と、電子機器が開かれたときに、前記抽出したデータを前記表示部に表示させる手段と、を備えたことを特徴としている。
【０００８】
請求項１に係る電子機器では、折りたたんだ状態でインデックスが表示されており、ユーザはそのインデックスを指定して電子機器を開くことにより、必要なデータを迅速かつ容易に参照することができる。
【０００９】
上記目的を達成するために、請求項２に係る電子機器は、データが記録された記録部と、前記記録されたデータを表示する第一の表示部と、前記記録されたデータを表示する、前記第一の表示部よりも大きい第二の表示部と、前記第一の表示部及び前記第二の表示部を、その表示領域を内側にして折りたためるように連結する折りたたみ部と、を有する電子機器において、前記第二の表示部の端部に設けられ、電子機器が折りたたまれた状態において前記第一の表示部から露出するインデックス部であって、前記記録されたデータをインデックス表示するインデックス部と、前記表示されたインデックスのうち、電子機器が折りたたまれているときにユーザが指定したインデックスを検知する手段と、前記検知したインデックスに対応するデータを前記記録されたデータから抽出する手段と、電子機器が開かれたときに、前記抽出したデータを前記第一の表示部及び前記第二の表示部に表示させる手段と、を備えたことを特徴としている。
【００１０】
請求項２に係る電子機器では、折りたたんだ状態でインデックスが表示されており、ユーザはそのインデックスを指定して電子機器を開くことにより、必要なデータを迅速かつ容易に参照することができる。
【００１１】
請求項３に係る電子機器は、請求項２に記載の電子機器において、前記インデックス部は接触感知機能を有し、ユーザは表示されたインデックスに触れることによりインデックスを指定可能であることを特徴としている。
【００１２】
請求項３に係る電子機器では、ユーザは必要なデータをさらに迅速かつ容易に参照することができる。
【発明の効果】
【００１３】
本発明に係る電子機器では、ユーザは必要なデータを迅速かつ容易に参照できる。
【発明を実施するための最良の形態】
【００１４】
以下、添付図面に従って、本発明に係る電子機器の好ましい実施の形態について詳説する。
【００１５】
図１に、本実施形態に係る電子ブック１０のブロック図を示す。電子ブック１０は、モニタ２２を備えた第一のモニタ部２０と、モニタ３２を備えた第二のモニタ部３０と、モニタを折りたたみ可能に結合する軸部５０とを有する。電子ブック１０は、モニタ２２及びモニタ３２が内側になるようにおりたたまれる。
【００１６】
第二のモニタ部３０は第一のモニタ部２０より大きく、電子ブック１０を折りたたんだときに端部が露出するようになっている。この露出部分には接触感知式（タッチパネル式）のインデックスパネル３４が設けられ、インデックス操作が可能になっている。第二のモニタ部３０はまた、制御回路３６を備えている。
【００１７】
図２に示すように、制御回路３６はＣＰＵ４０を備えており、ＣＰＵ４０が以下に示す各要素を制御して各種処理を行う。ＲＯＭ４２は処理を行うためのプログラムやデータが記録され、ＲＡＭ４４は処理の際の一時的な記憶領域として用いられる。メモリ４６はＥＥＰＲＯＭ（Electronically Erasable and Programmable Read Only Memory）や各種メモリカードなどのデバイスで構成され、テキストデータや画像データ等が記憶される。電子ブック１０は、メモリ４６の内容を追加、編集することで、電話帳や電子辞書、電子アルバムなど様々な用途に用いることができるようになっている。
【００１８】
制御回路３６はまた、モニタ制御回路４８及びインデックスパネル制御回路４９を備えている。モニタ制御回路４８はモニタ２２及びモニタ３２の表示制御を行い、インデックスパネル制御回路４９は、インデックスパネル３４の表示制御（電子ブック１０の使用目的に応じた表示の切り替え等）を行うとともに、ユーザがインデックスパネル３４で押さえたインデックスを検知する。インデックスパネル４９がインデックスを検知すると、そのインデックスに対応したデータがメモリ４６から抽出される。
【００１９】
なお、軸部５０には軸部センサ５２が備えられ、電子ブック１０の折りたたみ状態（開または閉）を検出するようになっている。
【００２０】
次に、電子ブック１０の使用形態について説明する。ここでは、電子ブック１０を電話帳として使用する場合について説明する。
【００２１】
電子ブック１０は、折りたたんだ状態では図３に示すように第一のモニタ部２０と第二のモニタ部３０の端部が完全には重ならず、第二のモニタ部３０の一部が露出するようになっている（電子ブック１０を開いたときの概観図は図４を参照）。この露出部分には接触感知式のインデックスパネル３４が設けられており、この状態では「あ」、「か」、「さ」、・・・「わ」と表示されている。
【００２２】
ここで、「田中さん」の電話番号を調べようとする場合、ユーザは「た」行のインデックスを押さえながら電子ブック１０を開く。すると、電子ブック１０が開かれたことを軸部センサ５２が検知し、インデックスパネル３４及びインデックスパネル制御回路４９が、ユーザが「た」のインデックスを押さえたことを検知する。これに応じ、名字が「た」から始まる人の電話番号がメモリ４６に記憶された電話番号データから抽出されて、モニタ２２及びモニタ３２に表示される（図５参照）。
【００２３】
同様にして、「佐藤さん」の電話番号を調べるときには、ユーザが「さ」行のインデックスを押さえながら電子ブックを開くと、名字が「さ」から始まる人の電話番号が表示される（図６参照）。
【００２４】
このように、本実施の形態に係る電子ブック１０では折りたたんだ状態でインデックスパネル３４にインデックスが表示されており、ユーザはそのインデックスを押さえながら電子ブック１０を開くことにより、必要なデータを迅速かつ容易に参照することができる。
【００２５】
なお、本実施の形態に係る電子ブック１０は、インデックスパネル３４の表示を変更することで住所録、栞付きノートなどとして使用することも可能である。また、デジタルカメラ等で撮影した画像を表示する電子アルバムとして使用するようにしてもよい。
【００２６】
この場合、インデックスパネル３４には撮影日時などをインデックス表示し、ユーザが必要なインデックスを押さえながら電子ブック１０を開くことで、そのインデックスに対応する画像を表示する。この際、画像表示はフル画像でもサムネイル画像でもよく、サムネイル画像の場合はどれかの画像に触れることでその画像をフル画像表示する。フル画像表示したときは、画像の一部に触れることで、その部分を中心として拡大表示するようにしてもよい。
【００２７】
また、電子ブック１０を電子アルバムとして使用する場合、インデックスパネル３４に画像のＥｘｉｆ（Exchangeable Image File Format）データや撮影場所の注釈データ等をインデックス表示し、ユーザがインデックスを押さえながら電子ブック１０を開くことでそのインデックスに対応する画像を表示するようにしてもよい。
【００２８】
本実施の形態に係る電子ブック１０では、通常の書籍の背表紙や表紙に相当する部分にもタッチパネル式の表示領域を設けるようにしてもよい。この場合、背表紙や表示部分のタッチパネルを操作することで電子ブック１０の機能（例えば国語辞典、英和辞典、和英辞典、百科事典）を切り替えられるようにすることが好ましい。
【００２９】
例えば、ユーザが背表紙のタッチパネルに表示されたインデックスを操作することで、表示を「和英辞典」から「英和辞典」に切り替え、これとともにインデックスパネル３４の表示を「あ、か、さ、・・・」から「Ａ、Ｂ、Ｃ、・・・」に切り替える。これにより、例えば「Ａｐｐｌｅ」の意味を調べたいときには、ユーザは「Ａ」のインデックスを押さえながら電子ブック１０を開くと、モニタ２２、モニタ３２に「Ａｐｐｌｅ：りんご」と表示される。この際、りんごの画像を併せて表示するようにしてもよい。
【００３０】
なお、本実施の形態に係る電子ブック１０では、モニタ２２とモニタ３２とを一の表示領域としてデータを表示してもよいし、独立した表示領域としてデータを表示してもよい。
【００３１】
また、本実施の形態に係る電子ブック１０では、モニタ２２及びモニタ３２として液晶モニタを用いてもよいし、いわゆる電子ペーパのようなデバイスを用いてもよい。
【００３２】
また、本実施の形態に係る電子ブック１０の大きさは特に限定されず、使用目的に合せて自由に設定してよい。例えば、Ａ４程度の大きさにして広い表示領域を確保するようにしてもよいし、Ａ６変形サイズ程度の大きさにして携帯性を確保するようにしてもよい。この際、電子ブック１０の大きさに合せてモニタ２２やモニタ３２、インデックスパネル３４の大きさを変更してよい。
【図面の簡単な説明】
【００３３】
【図１】本発明の一の実施形態に係る電子ブックの構成を示すブロック図である。
【図２】本発明の一の実施形態に係り、制御回路の構成を示すブロック図である。
【図３】本発明の一の実施形態に係り、閉じた状態の電子ブックを示す図である。
【図４】本発明の一の実施形態に係り、開いた状態の電子ブックを示す図である。
【図５】本発明の一の実施形態に係り、電子ブックの操作の例を示す図である。
【図６】本発明の一の実施形態に係り、電子ブックの操作の他の例を示す図である。
【符号の説明】
【００３４】
１０・・・電子ブック、２０・・・第一のモニタ部、２２・・・第一のモニタ、３０・・・第二のモニタ部、３２・・・第二のモニタ、３４・・・インデックスパネル、３６・・・制御回路、４６・・・メモリ、４８・・・モニタ制御回路、４９・・・インデックスパネル制御回路、５０・・・軸部、５２・・・軸部センサ
【図１】
2005149364.tif 000003
【図２】
2005149364.tif 000004
【図３】
2005149364.tif 000005
【図４】
2005149364.tif 000006
【図５】
2005149364.tif 000007
【図６】
2005149364.tif 000008